(57)【特許請求の範囲】
【請求項１】
開口部を備える筐体と、
太陽放射が前記開口部に入ることを選択的に阻止するよう動くことができる可動式サンシェードと
を有し、
前記サンシェードの外面は断熱材により覆われ、前記サンシェードの内面は熱を発散させるよう構成された表面を備え、
前記サンシェードは、少なくとも２つの軸の周りを前記筐体に対して回転可能であり、
前記少なくとも２つの軸は、前記筐体に対する前記サンシェードの仰角を変更する仰角軸を含み、
前記サンシェードは、前記仰角軸と前記筐体との間の距離よりも大きい最大範囲を有し、
前記サンシェードの前記仰角は、モーターを用いて前記サンシェードを前記仰角軸の周りで回転することにより変更されうる、
日射遮蔽システム。
【請求項２】
前記少なくとも２つの軸は、前記筐体にあるセンサの関心の中心とアライメントされる方位角軸を含む、
請求項１に記載の日射遮蔽システム。
【請求項３】
前記方位角軸は、前記開口部の中心とアライメントされ、
前記サンシェードの方位角が、別のモーターを用いて前記サンシェードを前記方位角軸の周りで回転することにより変更されうる、
請求項２に記載の日射遮蔽システム。
【請求項４】
前記サンシェードは、フラットパネルである、
請求項１乃至３のうちいずれか一項に記載の日射遮蔽システム。
【請求項５】
前記サンシェードは、ベアリングとともに前記サンシェードの回転を可能にするよう、前記ベアリングと結合される、
請求項１乃至４のうちいずれか一項に記載の日射遮蔽システム。
【請求項６】
前記サンシェードは、前記ベアリングとヒンジで結合される、
請求項５に記載の日射遮蔽システム。
【請求項７】
前記サンシェードは、該サンシェードが前記ベアリングとヒンジで結合されるところから延びている長さを有し、該長さは、前記開口部の最大範囲よりも大きい、
請求項６に記載の日射遮蔽システム。
【請求項８】
前記サンシェードは、該サンシェードが前記ベアリングとヒンジで結合されるところから延びている長さを有し、該長さは、該長さと垂直である前記サンシェードの幅よりも大きい、
請求項６又は７に記載の日射遮蔽システム。
【請求項９】
前記サンシェードは、前記開口部の面積よりも大きい面積を有する、
請求項１乃至８のうちいずれか一項に記載の日射遮蔽システム。
【請求項１０】
前記サンシェードは、前記開口部を完全に閉じるよう動くことができる、
請求項１乃至９のうちいずれか一項に記載の日射遮蔽システム。
【請求項１１】
前記サンシェードは、前記開口部を完全に閉じるよう傾斜角を変えられる、
請求項１乃至１０のうちいずれか一項に記載の日射遮蔽システム。
【請求項１２】
当該日射遮蔽システムは、前記筐体にあるセンサを更に含む宇宙機の部分である、
請求項１乃至１１のうちいずれか一項に記載の日射遮蔽システム。
【請求項１３】
開口部を備える筐体と、
太陽放射が前記開口部に入ることを選択的に阻止するよう動くことができる可動式サンシェードと
を有し、
前記サンシェードの外面は断熱材により覆われ、前記サンシェードの内面は熱を発散させるよう構成された表面を備え、
前記サンシェードは、少なくとも２つの軸の周りを前記筐体に対して回転可能であり、
前記少なくとも２つの軸は、前記筐体に対する前記サンシェードの仰角を変更する仰角軸を含み、
前記サンシェードの前記仰角は、モーターを用いて前記サンシェードを前記仰角軸の周りで回転することにより変更することができ、
前記サンシェードは、前記開口部を完全に閉じるよう動くことができる、
日射遮蔽システム。
【請求項１４】
前記少なくとも２つの軸は、前記筐体にあるセンサの関心の中心とアライメントされる方位角軸を含み、
前記サンシェードの方位角が、別のモーターを用いて前記サンシェードを前記方位角軸の周りで回転することにより変更されうる、
請求項１３に記載の日射遮蔽システム。
【請求項１５】
前記サンシェードは、フラットパネルである、
請求項１３又は１４に記載の日射遮蔽システム。
【請求項１６】
前記サンシェードは、ベアリングとともに前記サンシェードの回転を可能にするよう、前記ベアリングと結合される、
請求項１３乃至１５のうちいずれか一項に記載の日射遮蔽システム。
【請求項１７】
前記サンシェードは、前記ベアリングとヒンジで結合される、
請求項１６に記載の日射遮蔽システム。
【請求項１８】
前記サンシェードは、該サンシェードが前記ベアリングとヒンジで結合されるところから延びている長さを有し、該長さは、前記開口部の最大範囲よりも大きい、
請求項１７に記載の日射遮蔽システム。
【請求項１９】
当該日射遮蔽システムは、前記筐体にあるセンサを更に含む宇宙機の部分である、
請求項１３乃至１８のうちいずれか一項に記載の日射遮蔽システム。
【請求項２０】
宇宙機のセンサを損傷から守る方法であって、
センサが受ける光が通る前記宇宙機の筐体における開口部をサンシェードが塞ぐ収納位置から前記サンシェードを動かし、
前記センサをターゲットに向け、
前記センサがターゲットに向けられているときに、方位角軸及び仰角軸の周りを単一ユニットとして前記サンシェードを回転させることによって前記筐体に対して前記サンシェードを位置付けて、太陽光が前記筐体の前記開口部を通って前記センサに届かないようにする
ことを有し、
前記サンシェードの外面は断熱材により覆われ、前記サンシェードの内面は熱を発散させるよう構成された表面を備え、
前記サンシェードの仰角が、モーターを用いて前記サンシェードを前記仰角軸の周りで回転することにより変更されうる、
方法。
【発明の詳細な説明】
【背景技術】
【０００１】
本願は、２０１４年７月１６日付けで出願された米国特許仮出願第６２／０２５２６５号の３５  ＵＳＣ  １１９の下での優先権を主張する。なお、優先権主張の基礎となるこの米国出願は、その全文を参照により本願に援用される。
【０００２】
スペースセンサ、特に、光センサは、直接的な太陽照射が、更には、しばしば、間接的な太陽照射さえも働くことから保護されるべきである、熱的及び光学的に敏感な部品を備える。ポインティングセンサ（視線（line-of-sight）は宇宙船とは独立して操縦される。）は、センサを太陽照射から守るために、視線とセンサ−太陽間ベクトルとの間の最小角度を有するそれらの太陽遮断角にわたって動くサンシェードを必要とする。
【０００３】
いくつかのサンシェード設計が存在し、２つの最も一般的なものは、（ａ）センサがどこを指しているかに関わらずセンサに入る光を包む込むよう向けられている器具にサンシェードを接続すること、又は（ｂ）宇宙船にサンシェードを固定し、サンシェードを、センサに入る光を遮ることなしに必要な日射保護を提供するに足りるほどの幅及び長さとすること、のいずれかである。それら２つのアプローチは、限界があり、特に、第２のアプローチは、それがセンサとともに操縦しないので、同等の太陽遮断角を基本的には提供することができない。ポインティング“ヘッド”ミラーを使用するシステムの場合では、ミラーからセンサに反射する光を遮断すること、又はサンシェードの移動におけるいずれかの時点でポインティングミラーとセンサとの間に露出ギャップを残すことのいずれもなしに、センサ視線に追随するように剛体サンシェードを動かす方法はない。そのため、ポインティングヘッドミラーを使用する場合に、太陽遮断角の低減を単に受け入れることは、非常に大きく且つ重い固定サンシェードを更なる代償として選択される選択肢で常にあった。
【０００４】
図１及び２は、１つの従前のアプローチにおいて、ジンバル式（gimbaled）光センサ１０４を保護するために使用される従来の管状サンシェード／バッフル１０２を備えたシステム１００を表す。センサ１０４は、２つの方向において宇宙機構造体１０８に対して傾けられ得る筐体１０６の中に部分的にある。筐体１０６は（固定して取り付けられた管状サンシェード１０２とともに）、ジンバル方位角軸１１２及びジンバル仰角軸１１４の両方の周りを回転することができる。バッフル１０２の内側は、加熱及び／又は光反射を起こしやすい。加えて、システム１００は、バッフル１０２が向けられている方向のある角度１１８の範囲内に太陽１１６があるときにセンサ１０４の使用をバッフル１０２が認めない点で、バッフル１０２に固有の太陽遮断角によって制限される。この角度を小さくするようバッフル１０２のサイズを大きくすることは、センサ１０４の視野を狭めることと、システムの更なる空間及び更なる材料を必要とすることとに関して、問題を引き起こしうる。加えて、図２を参照して、筐体１０６に対してバッフル１０２を動かすことは、筐体１０６において、バッフル１０２により閉じられ得ないギャップ１２０を生じさせうる。
【０００５】
スペースに基づくセンサのための従前の日射遮蔽体の他の例は、米国特許第８１８６６２８号（特許文献１）において開示されているものである。その１つの実施形態は図３に示される。図３は、基部２０４から延在する細長い湾曲した部分２０２と、基部２０４の遠位端に枢動可能に結合されている日よけ板２０６とを含む遮光システム２００を示す。基部２０４は、ほとんどの時点で太陽放射を遮るよう方位角によって動かされてよく、日よけ板２０６は、太陽がセンサの視野の端にある場合（例えば、太陽が対象（例えば、地球）の縁に沿ってある場合）に、太陽を遮る場所に動かされる。湾曲した部分２０２の加熱はまた、この種類の遮光にとって潜在的な問題である。
【発明の概要】
【０００６】
従前のアプローチと対照的に、日射遮蔽システムは、センサの視野の中心とアライメントされた回転軸に関してサンシェード（単にフラットパネルであってよい。）を操縦してサンシェードを太陽とセンサ開口部との間に常に位置するようにするとともに、外側回転軸に垂直なヒンジ軸に関してサンシェードを傾けて、センサに入る光経路の方へ又は該光経路から離れてサンシェードを動かす別個の２軸メカニズムを使用する。その２軸モーションのおかげで、サンシェードは、管状サンシェード操縦アプローチにより実現されるものに匹敵するか又はそれよりも良い優れた太陽遮断を提供するよう、必要に応じてセンサの視線を“抱え込む（hug）”ことができる。更には、それは、その“内側”の面（通常、迷光を抑制するために黒く塗られている。）において光を収集せず、そのため、ほとんどのサンシェードがそうであるようには温まらない。サンシェードはヒンジで動かされるので、それは完全に閉じられ、打ち上げ又は他の汚染イベント（例えば、発射スラスタ）の間の開口部のダストカバーとしても機能することができる。扉は、閉じられる場合に、それが、例えば、太陽に向かってディフューザを方向付けるよう、その方位角軸の周りを回転することができるように組み込まれた較正機構を備えることができる。
【０００７】
本発明の態様に従って、日射遮蔽システムは、穴又は開口部を備えた筐体と、太陽放射が穴に入ることを阻止するよう動くことができる可動式サンシェードとを含む。システムは、次の特徴のうちの１つ以上を（個々に又はあらゆる組み合わせにおいて）含んでよい：サンシェードはフラットパネルである；サンシェードは、少なくとも２つの次元において動くことができる；サンシェードは、少なくとも２つの軸の周りを回転可能である；サンシェードは、筐体にあるセンサの関心の中心とアライメントされた軸の周りを回転可能である；サンシェードは、センサの関心の中心とアライメントされた軸に垂直である軸の周りも回転可能である；サンシェードは、筐体に対するサンシェードの仰角を変更するようヒンジで結合される；サンシェードは、サンシェードの回転を可能にするようベアリングへ結合される；ベアリングは開口部の周りに延在する；サンシェードは、ベアリングの部分とともに方位角において回転する；サンシェードは、ベアリングへヒンジで結合される；サンシェードは、開口部の面積よりも大きい面積を有する；サンシェードは、例えば、筐体内のセンサを保護するために、又は粉塵若しくは他の汚染物質が開口部に入ることを防ぐために、開口部を完全に閉じるよう傾けられてよい；センサは筐体内に位置する；センサは２軸ポインティングミラーを含む；２軸ポインティングミラーは筐体内にある；サンシェードは、筐体及び太陽の相対位置に関わらず、開口部の直接的な及び他の好ましくない照射を遮ることが完全にできる；サンシェードは、ヒンジと筐体との間の距離よりも大きい長さ（サンシェードが結合されるヒンジからの範囲）を有する；サンシェードは、開口部の最大範囲よりも大きい長さ（サンシェードが結合されるヒンジからの範囲）を有する；サンシェードは長方形である；及び／又は、サンシェードは、幅（回転のヒンジ軸の方向における範囲）よりも大きい長さ（サンシェードが結合されるヒンジからの範囲）を有する。
【０００８】
本発明の他の態様に従って、筐体におけるセンサの太陽照射を遮る方法は、必要に応じて方位角及び／又は仰角を調整しながら、センサの太陽照射を防ぐよう、この概要中のいずれかの段落のシステム（あらゆる置換も含む。）のサンシェードを位置付けることを含む。
【０００９】
本発明の更なる他の態様に従って、筐体におけるセンサを保護する方法は、筐体の開口部又は穴を閉じるよう、この概要中のいずれかの段落のシステム（あらゆる置換も含む。）のサンシェードを位置付けることを含む。
【００１０】
本発明の態様に従って、日射遮蔽システムは、開口部を備えた筐体と、太陽放射が開口部に入ることを選択的に遮るよう動くことができる可動式サンシェードとを含む。サンシェードは、少なくとも２つの軸の周りを筐体に対して回転可能である。少なくとも２つの軸は、筐体に対するサンシェードの仰角を変更する仰角軸を含む。サンシェードは、仰角軸と筐体との間の距離よりも大きい最大範囲を有する。
【００１１】
いずれかの前の段落のシステムの実施形態に従って、少なくとも２つの軸は、筐体にあるセンサの関心の中心とアライメントされる方位角軸を含む。
【００１２】
いずれかの前の段落のシステムの実施形態に従って、方位角軸は、開口部の中心とアライメントされる。
【００１３】
いずれかの前の段落のシステムの実施形態に従って、サンシェードは、フラットパネルである。
【００１４】
いずれかの前の段落のシステムの実施形態に従って、サンシェードは、ベアリングとともにサンシェードの回転を可能にするよう、前記ベアリングと結合される。
【００１５】
いずれかの前の段落のシステムの実施形態に従って、サンシェードは、ベアリングとヒンジで結合される。
【００１６】
いずれかの前の段落のシステムの実施形態に従って、サンシェードは、該サンシェードがベアリングとヒンジで結合されるところから延びている長さを有し、該長さは、開口部の最大範囲よりも大きい。
【００１７】
いずれかの前の段落のシステムの実施形態に従って、サンシェードは、該サンシェードがベアリングとヒンジで結合されるところから延びている長さを有し、該長さは、該長さと垂直であるサンシェードの幅よりも大きい。
【００１８】
いずれかの前の段落のシステムの実施形態に従って、サンシェードは、開口部の面積よりも大きい面積を有する。
【００１９】
いずれかの前の段落のシステムの実施形態に従って、サンシェードは、開口部を完全に閉じるよう動くことができる。
【００２０】
いずれかの前の段落のシステムの実施形態に従って、サンシェードは、開口部を完全に閉じるよう傾斜角を変えられる。
【００２１】
いずれかの前の段落のシステムの実施形態に従って、日射遮蔽システムは、筐体にあるセンサを更に含む宇宙機の部分である。
【００２２】
本発明の他の態様に従って、日射遮蔽システムは、開口部を備えた筐体と、太陽放射が開口部に入ることを選択的に阻止するよう動くことができる可動式サンシェードとを含む。サンシェードは、少なくとも２つの軸の周りを筐体に対して回転可能である。サンシェードは、開口部を完全に閉じるよう動くことができる。
【００２３】
いずれかの前の段落のシステムの実施形態に従って、少なくとも２つの軸は、筐体にあるセンサの関心の中心とアライメントされる方位角軸と、仰角とを含む。
【００２４】
いずれかの前の段落のシステムの実施形態に従って、サンシェードは、フラットパネルである。
【００２５】
いずれかの前の段落のシステムの実施形態に従って、サンシェードは、ベアリングとともにサンシェードの回転を可能にするよう、前記ベアリングと結合される。
【００２６】
いずれかの前の段落のシステムの実施形態に従って、サンシェードは、ベアリングとヒンジで結合される。
【００２７】
いずれかの前の段落のシステムの実施形態に従って、サンシェードは、該サンシェードがベアリングとヒンジで結合されるところから延びている長さを有し、該長さは、開口部の最大範囲よりも大きい。
【００２８】
いずれかの前の段落のシステムの実施形態に従って、日射遮蔽システムは、筐体にあるセンサを更に含む宇宙機の部分である。
【００２９】
本発明の更なる態様に従って、宇宙機のセンサを損傷から守る方法は、センサが受ける光が通る宇宙機の筐体における開口部をサンシェードが塞ぐ収納位置から前記サンシェードを動かすステップと、センサをターゲットに向けるステップと、センサがターゲットに向けられているときに、方位角軸及び仰角軸の周りを単一ユニットとしてサンシェードを回転させることによって筐体に対してサンシェードを位置付けて、太陽光が筐体の開口部を通ってセンサに届かないようにするステップとを含む。
【００３０】
前述の及び関連する目的の達成のために、本発明は、以降で十分に記載され且つ特許請求の範囲で特に示されている特徴を有する。以下の記載及び添付の図面は、本発明の特定の実例となる実施形態を詳細に示す。なお、それらの実施形態は、本発明の原理が用いられ得る様々な方法のほんのいくつかを示す。本発明の他の目的、利点及び新規の特徴は、図面とともに検討される場合に、本発明の以下の詳細な説明から明らかになるだろう。
【図面の簡単な説明】
【００３１】
添付の図面及び／又は他の素材は、必ずしも実寸通りではなく、本発明の様々な態様、及び／又は従前のシステムの様々な態様を示す。
【００３２】
【図１】先行技術の日射遮蔽システムの概略側面図である。
【００３３】
【図２】図１のシステムの動作を表す概略図である。
【００３４】
【図３】他の先行技術の日射遮蔽システムの斜め図である。
【００３５】
【図４】本発明の実施形態に従う日射遮蔽システムの斜め表現である。
【００３６】
【図５】図４のシステムの側断面図である。
【００３７】
【図６】本発明の他の実施形態に従う日射遮蔽システムの斜め図である。
【００３８】
【図７】本発明の更なる他の実施形態に従う日射遮蔽システムの概略図である。
【００３９】
【図８】本発明の更なる他の実施形態に従う日射遮蔽システムの概略図である。
【発明を実施するための形態】
【００４０】
日射遮蔽システムは、センサを収容する筐体と、可動式サンシェードとを含む。筐体は、光がセンサに入ることを許す穴又は開口部を備え、サンシェードは、センサの有害な太陽照射を防ぐよう必要に応じて動かされる。サンシェードはフラットパネルであってよい。サンシェードパネルは、太陽が開口部を照射するのを常に防ぐようにシェードがセンサの開口部の周りを回転することを可能にする大直径ベアリングの一方の側に位置するヒンジに取り付けられる。ヒンジは、センサが不明りょう化なしに軸外を更に見ることを可能にするように、あるいは、太陽がセンサの前に移動する場合に太陽を遮るように、シェードが傾けられることを可能にする。そのヒンジにおけるサンシェードの全閉は、穴又は開口部を塞ぐ開口扉としてもシェードが機能することを可能にする。
【００４１】
図４及び５を参照すると、日射遮蔽システム１０は、太陽１４からの直接的な日射（及び／又は他の有害な太陽照射）から保護されるべきセンサ１６を収容する筐体１２を含む。筐体１２は、何らかの望ましい光がセンサ１６に入ることを許す穴又は開口１８と、望ましくない光（例えば、太陽照射）がセンサ１６に届くことを阻止する可動式サンシェード２０とを備える。筐体１２は、開口１８を通して入らない全ての光を閉め出す剛体筐体（例えば、直方体）である。筐体１２は、例えば、アルミニウム、スチール、他の物質、又は硬質の非金属物質（例えば、複合材料若しくはプラスチック）のような、様々な適切な材料のいずれから作られてもよい。筐体１２は、システム１０の他の部分とともに、衛星のような宇宙機２２の部分であってよい。
【００４２】
センサ１６は、システム１０が一部として含まれる宇宙船に対してセンサの視線を操縦するよう、２軸ポインティングミラー２６を備えてよい。センサ１６は、ミラー２６が向いている方向を変えることによって、取り得るセンサ向き角度の範囲にわたって、筐体１２の開口部１８を通る光を受けることができる（ポインティングミラー２６は、位置を変えるよう傾けることができる直線として図では表されている。ミラー２６は、入来する光を反射し且つ集光するレンズ及び／又は湾曲焦点ミラーのような、センサ１６の他のオプティクス３０へ、ある角度範囲にわたって、入来する光を向ける。）。
【００４３】
サンシェード２０は、２つの方向において回転することができるフラットパネルである。方位角（azimuth）調整は、サンシェード２０がヒンジで結合されている大きなベアリング３４によって提供される。表されている実施形態では、方位角ベアリング３４は、筐体１２において開口部１８の周りに延在する。方位角軸３６（この周りをベアリング３４が回転する。）は、センサの視野とアライメントされてよい。モーター又は他の適切なデバイスが、筐体に対してサンシェード及びベアリングの部分を回転させるために使用されてよい。例えば、モーター３８は、ベアリング３４の鋸歯状の外側表面に係合する駆動ギア４０を回転させ、それにより、駆動ギア４０を回転させることは、軸３６の周りでベアリング３４を回転させる。
【００４４】
仰角（elevation）調整は、サンシェード２０をベアリング３４へ（あるいは、同様に、ベアリング３４を囲みベアリング３４とともに動くケーシング又は筐体へ）結合するヒンジ４４の周りの回転によって提供される。仰角は、ヒンジ４４を通る仰角軸４６の周りでサンシェード２０を回転させながら、ヒンジ４４の周りのサンシェード２０の位置付けを行うモーター又は他の適切なデバイスを用いて、変更されてよい。
【００４５】
サンシェード２０は、センサ１６と太陽１４との間でサンシェード２０を常に保つよう方位角が調整されるように、位置付けられてよい。仰角又は傾きは、次いで、必要に応じて太陽光の経路の方へ又はそれらから離れてサンシェード２０を動かして、太陽光が開口部１８及びセンサ１６に入ることを防ぐように、調整されてよい。この種の調整の１つの利点は、入来する太陽光を遮る必要がある場合を除いて、サンシェード２０がセンサの視野から完全に外れて傾けられてよいことである。これは、センサ１６に、最大限取り得る視野を認める。サンシェード２０はまた、直接的な太陽光が開口部１８に始終届くこと、よって、筐体１２に収容されているセンサ１６に始終届くことを完全に阻止するよう、必要な分だけ選択的に傾けられてよい。
【００４６】
サンシェード２０は、有利なことに、筐体１２の近くにヒンジで結合されてよい。例えば、サンシェード２０は、ヒンジ４４と筐体２２との間の距離よりも大きい長さ４８（ヒンジ４４からの範囲）を有してよい。サンシェードの長さ４８は、例えば、ヒンジ４４と筐体１２との間の距離の少なくとも２倍、ヒンジ４４と筐体１２との間の距離の少なくとも５倍、又はヒンジ４４と筐体１２との間の距離の少なくとも１０倍である。
【００４７】
開口部１８は、円形であるか、又は他の適切な形状を有してよい。サンシェードの長さ４８は、望ましくは、如何なる方向における開口部１８の最大範囲よりも大きい。サンシェードの長さ４８は、開口部１８の最大範囲よりも少なくとも５０％大きくてよく、あるいは、開口部１８の最大範囲の少なくとも２倍であってよい。
【００４８】
サンシェード２０は、望ましくは、開口部１８の面積よりも大きい面積を有する。サンシェードの面積は、開口部１８の面積よりも少なくとも５０％大きくてよく、あるいは、開口部１８の面積の少なくとも２倍であってよい。システム１０の可動部による太陽光の略全ての阻止は、ヒンジで連結されたサンシェード２０によって提供され得る。
【００４９】
サンシェード２０は、フラットパネルとして記載及び図示されてきた。フラットサンシェードは、反射された光を開口部に向かって内側に向けないという利点を備える。フラットサンシェードは光を内側に向けないので、サンシェードの内側表面を黒く塗る必要はない。これは、サンシェードの加熱を防ぐのに役立つ。なお、代替案として、サンシェードは、湾曲形状を有してよい。
【００５０】
また、サンシェード２０は、その形状に関わらず、光を吸収するよう及び／又は光の反射を減らすよう黒く塗られているか又は別なふうに処理されている内面を備えてよい。内面は、サンシェード２０が開口部１８を全体的に又は部分的に覆うよう動かされる場合に、開口部１８に面する。光反射特性のこのような制御は、光の不可視及び可視波長のためであってよい。
【００５１】
サンシェード２０は長方形であってよい。サンシェードの長さ４８は、サンシェードの幅５０（回転のヒンジ軸の方向における範囲）よりも大きくてよい。代替的に、サンシェード２０は、他の形状及び／又はその次元間の他の関係を有してよい。
【００５２】
システムの部分は、適切な金属、プラスチック、又は合成材料のような、適切な材料から作られてよい。
【００５３】
ヒンジによる接続は、サンシェード２０が開口部１８を完全に覆って塞ぐよう完全に閉じられることを可能にする。これは、センサが使用されないときにサンシェード２０が保護カバーとして機能することを可能にする。それはまた、粉塵又は他の汚染物質からセンサ１６を保護するためにも使用されてよい。粉塵又は他の汚染物質は、さもなければ、開口部１８を通じて筐体１２に入る可能性がある。例えば、サンシェード２０は、打ち上げ又はスラスタの発射の間、開口部１８を完全に塞ぐために使用されてよい。
【００５４】
図５は、直接的な太陽光が開口部１８に終始入ることを防ぐようにサンシェード２０の仰角が選択されることがサンシェード２０の動きの範囲によって可能にされることを示す。サンシェード２０は、太陽遮断角の範囲内であればどこでもセンサ１６の動作を依然として許す。図示されるように太陽１４が位置すると、サンシェード２０は、太陽光５４が開口部１８に届くことを防ぐよう、実線で示されるように位置付けられてよい。異なる方向において太陽光５４′を生成するような、太陽の異なる位置について、サンシェード２０は位置２０’へ動かされてよい。サンシェード２０はまた、開口部１８を完全に覆うよう、収納位置２０”に位置してよい。
【００５５】
図６は、代替の実施形態において、筐体６２にあるセンサ６６を直接照射から保護するサンシェード７０を含む日射遮蔽システム６０を示す。サンシェード７０は湾曲され、円筒の部分であってよい。サンシェード７０の湾曲形状は、サンシェード２０（図４）のようなフラットサンシェードに対して、改善された剛性の利点を提供することができる。
【００５６】
サンシェード７０は、ヒンジ７４で筐体６２結合されている。ヒンジ７４は、ベアリング７６によって囲まれている筐体６２の開口部６８に又はその近くにあってよい。サンシェード７０は、その方位角及び仰角を調整しながら、２つの方向において自身を回転させることによって、位置付けられ得る。
【００５７】
加えて、センサ６６は、２軸ポインティングミラー２６（図５）を備える上記のセンサ１６（図５）とは対照的に、固定視野を有してよい。他の代替案として、センサ６６は、単軸ポインティングミラーのみを備えてよい。センサ１６及び６６の様々な構成の全ては、フラットな又は湾曲したサンシェードとともに使用されてよい。
【００５８】
図７及び８は、追加の特徴を備えた更なる実施形態を示す。それらの更なる実施形態において示される特徴は、互いと及び上記の他の実施形態における特徴との如何なる組み合わせにおいても、組み合わされてよい。
【００５９】
図７は、位置決め可能なサンシェード８２が熱遮断デバイスとしても使用される日射遮蔽システム８０の概略図を示す。サンシェード８２の外面は、太陽の方を向いており、多層断熱材のような断熱材により覆われている。サンシェード８２の内面８６は、太陽から見て外方に向いており、熱を発散させるよう構成された表面を備える。内面８６は、例えば、熱放射を高めるよう黒く塗られてよい。代替的に、又はその上、サンシェード８２は、例えば、サンシェード８２の基部からサンシェード８２に沿って熱を伝えるよう、サンシェード８２に組み込まれたヒートパイプのような熱伝達デバイスを備えてよい。ヒートストラップ又はヒートパイプのような熱連結部８８は、熱源（消散されるべき廃熱を供給する。）をサンシェード８２へ熱的に結合するために使用されてよい。消散されるべき熱は、日射遮蔽システム８０を一部として含む乗り物内の様々な発生源のいずれかに由来してよい。
【００６０】
図８は、日射遮蔽システム９０のサンシェード９２が、その外面において、筐体９８内のセンサ９６へ（又は他のセンサへ）いくらかの光を供給する光伝達部９４を含む変形例を示す。光伝達部９４は、ピンホールの連続、ディフューザ、及び／又は反射体を結合されてよい。光伝達部９４は、例えば、サンシェード９２が閉じられる場合に、閉じられたサンシェード９２の上で太陽が輝いている状態で、センサ９６を較正するために使用されてよい。そのような状況において、センサ９６は、太陽の位置のせいで、通常動作に使用できないが、較正は、この時点で依然として実施され得る。バッフル（図示せず。）は、サンシェード９２が筐体９８にある開口部を通じてセンサ９６に光を供給するよう開かれている場合に、光が光伝達部９４を通ってくることを阻止する位置に動かされてよい。
【００６１】
本発明は、特定の好適な１つ以上の実施形態に関して図示及び記載されてきたが、同等の代替案及び変更が、本明細書及び添付の図面を読んで理解した当業者に想到されるだろうことは明らかである。特に、上記の要素（コンポーネント、アセンブル、デバイス、構成、など）によって実施される様々な機能に関して、そのような要素を記載するために使用される語（「手段」への言及を含む。）は、特段示されない限りは、本発明の本願で説明されている実例となる１つ以上の実施形態における機能を実施する開示された構造と構造上同等でないとしても、記載されている要素の特定の機能を実施する如何なる要素にも対応するよう意図される（すなわち、機能上同等である。）。加えて、本発明の特定の特徴は、いくつかの説明されている実施形態のうちの１つ以上についてしか上述されていないが、そのような特徴は、いずれかの所与の又は特定の用途のために望ましく且つ有利でありうるように、他の実施形態の１つ以上の他の特徴と組み合わされてよい。
【先行技術文献】
【特許文献】
【００６２】
【特許文献１】米国特許第８１８６６２８号
【図１】
0006495432.tif 000002
【図２】
0006495432.tif 000003
【図３】
0006495432.tif 000004
【図４】
0006495432.tif 000005
【図５】
0006495432.tif 000006
【図６】
0006495432.tif 000007
【図７】
0006495432.tif 000008
【図８】
0006495432.tif 000009